(57)【要約】【課題】ユーザが記録終了前に誤って記録媒体を抜き取ることを防止する。【解決手段】給紙トレイ２５から給紙ローラ対２２によって搬送機構２１へ送られてきた用紙７０は、その一方の面に画像の記録が行われ、保持トレイ２８に一時的に保持される。保持トレイ２８から反転経路３２に搬送された用紙７０は、表裏が反転された状態で、搬送機構２１へ送り出される。搬送機構２１へ送り出された用紙７０は、その他方の面に画像の記録が行われ、排紙トレイ２４に排出される。このとき、保持トレイ２８は、鉛直方向に沿って排紙トレイ２４と重なり、排紙トレイ２４の下側に配置されている。また、保持トレイ２８は、排紙トレイ２４の延在方向に沿って平行に近接して配置されている。この排紙トレイ２４の下面２４ａは、保持トレイ２８に一時的に保持された用紙７０の上面を覆う上面遮蔽部を構成している。【選択図】図１
2009154369.tif 000002
【特許請求の範囲】
【請求項１】
筐体と、
記録媒体を搬送する搬送機構と、
前記搬送機構によって搬送されている記録媒体に対して画像を記録する記録部と、
記録媒体の一方の面が前記記録部と対向するように記録媒体を前記搬送機構に送り出す供給部と、
前記記録部によって記録された記録媒体が前記搬送機構から排出される排出部と、
前記搬送機構によって搬送された記録媒体を一時的に保持する保持部と、
前記保持部に保持された記録媒体の上面を覆う上面遮蔽部と、
前記搬送機構によって搬送された記録媒体を、前記排出部及び前記保持部のいずれかに選択的に送り出す経路切換機構と、
前記保持部に保持された記録媒体を、その他方の面が前記記録部と対向するように反転させて前記搬送機構に送り出す反転経路と、を備えており、
前記搬送機構、前記記録部、前記経路切換機構及び前記反転経路は、前記筐体内に配置され、
前記排出部、前記保持部及び前記上面遮蔽部は、前記筐体から外部に突出し、且つ、鉛直方向に沿って重なるように配置され、
前記保持部は、前記上面遮蔽部の下側に前記上面遮蔽部に沿って近接して配置されていることを特徴とする画像記録装置。
【請求項２】
前記保持部が、前記上面遮蔽部と平行に配置されていることを特徴とする請求項１に記載の画像記録装置。
【請求項３】
前記保持部と前記上面遮蔽部との間に、前記保持部に保持された記録媒体の側方を覆う側方遮蔽部が設けられていることを特徴とする請求項１または２に記載の画像記録装置。
【請求項４】
前記側方遮蔽部が、前記保持部と前記上面遮蔽部との間に亘って形成されていることを特徴とする請求項３に記載の画像記録装置。
【請求項５】
前記筐体に対して、前記排出部、前記保持部及び前記上面遮蔽部が着脱可能であることを特徴とする請求項１〜４のいずれか１項に記載の画像記録装置。
【請求項６】
前記排出部、前記保持部及び前記上面遮蔽部が、前記筐体内に収容可能であることを特徴とする請求項１〜５のいずれか１項に記載の画像記録装置。
【請求項７】
前記排出部、前記保持部及び前記上面遮蔽部が、一体的に形成されていることを特徴とする請求項５または６に記載の画像記録装置。
【請求項８】
前記排出部の下部が前記上面遮蔽部であることを特徴とする請求項１〜７のいずれか１項に記載の画像記録装置。
【請求項９】
筐体と、
記録媒体を搬送する搬送機構と、
前記搬送機構によって搬送されている記録媒体に対して画像を記録する記録部と、
記録媒体の一方の面が前記記録部と対向するように記録媒体を前記搬送機構に送り出す供給部と、
前記記録部によって記録された記録媒体が前記搬送機構から排出される排出部と、
前記搬送機構によって搬送された記録媒体を一時的に保持する保持部と、
前記保持部に保持された記録媒体の上面を覆う上面遮蔽部と、
前記保持部に保持された記録媒体の側方を覆う側方遮蔽部と、
前記搬送機構によって搬送された記録媒体を、前記排出部及び前記保持部のいずれかに選択的に送り出す経路切換機構と、
前記保持部に保持された記録媒体を、その他方の面が前記記録部と対向するように反転させて前記搬送機構に送り出す反転経路と、を備えており、
前記搬送機構、前記記録部、前記経路切換機構及び前記反転経路は、前記筐体内に配置され、
前記排出部、前記保持部、前記上面遮蔽部及び前記側方遮蔽部は、前記筐体から外部に突出するように配置され、
前記排出部、前記保持部及び前記上面遮蔽部は、鉛直方向に沿って重なるように配置されていることを特徴とする画像記録装置。
【請求項１０】
前記筐体に対して、前記排出部、前記保持部、前記上面遮蔽部及び前記側方遮蔽部が着脱可能であることを特徴とする請求項９に記載の画像記録装置。
【請求項１１】
前記排出部、前記保持部、前記上面遮蔽部及び前記側方遮蔽部が、前記筐体内に収容可能であることを特徴とする請求項９または１０に記載の画像記録装置。
【請求項１２】
前記排出部、前記保持部、前記上面遮蔽部及び前記側方遮蔽部が、一体的に形成されていることを特徴とする請求項１０または１１に記載の画像記録装置。
【請求項１３】
前記排出部の下部が前記上面遮蔽部であることを特徴とする請求項９〜１２のいずれか１項に記載の画像記録装置。
【発明の詳細な説明】
【技術分野】
【０００１】
本発明は、記録媒体の両面に画像を記録する画像記録装置に関する。
【背景技術】
【０００２】
一般的に、記録媒体の両面に画像を記録する画像記録装置が知られている。特許文献１に開示された画像記録装置では、記録媒体をその一方の面が画像の記録を行う記録部に面するようにしつつ一方向に搬送し、当該記録媒体の一方の面に画像を記録した後、記録媒体を排紙トレイ（排出部）と中間トレイ（保持部）を兼ねる共用トレイに一時的に収容する。そして、共用トレイに収容された記録媒体をローラ対によって搬送方向の逆方向に搬送するとともに、反転搬送路を通過させることによって記録媒体の表裏を反転させ、他方の面への画像の記録を行い、共用トレイに排紙する。
【０００３】
【特許文献１】特開平７−１４４８３８号公報（図１）
【発明の開示】
【発明が解決しようとする課題】
【０００４】
ところで、上述した特許文献１に記載の画像記録装置においては、排紙トレイと記録媒体の表裏を反転させるために一時的に収容する中間トレイとを兼ねているため、ユーザが記録媒体の表裏を反転させるために共用トレイに一時的に排出された記録媒体を、記録媒体への記録が終了して排出されたと誤って抜き取ってしまうことがあった。
【０００５】
そこで、本発明の目的は、ユーザが記録終了前に誤って記録媒体を抜き取ることを防止する画像記録装置を提供することにある。
【課題を解決するための手段】
【０００６】
本発明の画像記録装置は、筐体と、記録媒体を搬送する搬送機構と、前記搬送機構によって搬送されている記録媒体に対して画像を記録する記録部と、記録媒体の一方の面が前記記録部と対向するように記録媒体を前記搬送機構に送り出す供給部と、前記記録部によって記録された記録媒体が前記搬送機構から排出される排出部と、前記搬送機構によって搬送された記録媒体を一時的に保持する保持部と、前記保持部に保持された記録媒体の上面を覆う上面遮蔽部と、前記搬送機構によって搬送された記録媒体を、前記排出部及び前記保持部のいずれかに選択的に送り出す経路切換機構と、前記保持部に保持された記録媒体を、その他方の面が前記記録部と対向するように反転させて前記搬送機構に送り出す反転経路と、を備えている。前記搬送機構、前記記録部、前記経路切換機構及び前記反転経路は、前記筐体内に配置され、前記排出部、前記保持部及び前記上面遮蔽部は、前記筐体から外部に突出し、且つ、鉛直方向に沿って重なるように配置され、前記保持部は、前記上面遮蔽部の下側に前記上面遮蔽部に沿って近接して配置されている。
【０００７】
本発明の画像記録装置によると、保持部が上面遮蔽部の下側に上面遮蔽部に沿って近接して設けられているので、保持部に送り出された記録媒体は、上面遮蔽部の下側に上面遮蔽部に沿って近接して一時的に保持される。したがって、ユーザが誤って保持部に搬送された記録媒体を抜き取ることを防止することができる。また、記録媒体を一時的に保持する保持部と、保持部に保持された記録媒体の上面を覆う上面遮蔽部を、デッドスペースである排出部と鉛直方向に沿って重なる位置に設けているので、筐体内に別個に保持部と上面遮蔽部を設けるスペースを確保する必要がない。したがって、筐体を小型化することができる。
【０００８】
また、前記保持部が、前記上面遮蔽部と平行に配置されていることが好ましい。これによると、保持部に一時的に保持された記録媒体と上面遮蔽部との間隔が狭く一定であるため、ユーザが誤って保持部に搬送された記録媒体を抜き取ることをさらに防止することができる。
【０００９】
さらに、前記保持部と前記上面遮蔽部との間に、前記保持部に保持された記録媒体の側方を覆う側方遮蔽部が設けられていることが好ましい。これによると、保持部に一時的に保持された記録媒体を側方遮蔽部によって遮蔽しているため、ユーザが誤って保持部に搬送された記録媒体を抜き取ることを一層防止することができる。
【００１０】
加えて、前記側方遮蔽部が、前記保持部と前記上面遮蔽部との間に亘って形成されていることが好ましい。これによると、側方遮蔽部が保持部と上面遮蔽部との間に亘って形成されているため、ユーザが誤って保持部に搬送された記録媒体を抜き取ることをより一層防止することができる。
【００１１】
また、前記筐体に対して、前記排出部、前記保持部及び前記上面遮蔽部が着脱可能であることが好ましい。これによると、画像記録装置の不使用時や梱包時に、排出部、保持部及び上面遮蔽部を取り外すことで装置をコンパクト化することができる。
【００１２】
また、前記排出部、前記保持部及び前記上面遮蔽部が、前記筐体内に収容可能であってもよい。これによると、画像記録装置の不使用時や梱包時に、筐体内に排出部、保持部及び上面遮蔽部を収容することで装置をコンパクト化することができる。
【００１３】
さらに、前記排出部、前記保持部及び前記上面遮蔽部が、一体的に形成されていることが好ましい。これによると、排出部、保持部及び上面遮蔽部の着脱または収容作業が容易になる。
【００１４】
加えて、前記排出部の下部が前記上面遮蔽部であることが好ましい。これによると、部品点数を減少させることができる。
【００１５】
また、別の観点では、本発明の画像記録装置は、筐体と、記録媒体を搬送する搬送機構と、前記搬送機構によって搬送されている記録媒体に対して画像を記録する記録部と、記録媒体の一方の面が前記記録部と対向するように記録媒体を前記搬送機構に送り出す供給部と、前記記録部によって記録された記録媒体が前記搬送機構から排出される排出部と、前記搬送機構によって搬送された記録媒体を一時的に保持する保持部と、前記保持部に保持された記録媒体の上面を覆う上面遮蔽部と、前記保持部に保持された記録媒体の側方を覆う側方遮蔽部と、前記搬送機構によって搬送された記録媒体を、前記排出部及び前記保持部のいずれかに選択的に送り出す経路切換機構と、前記保持部に保持された記録媒体を、その他方の面が前記記録部と対向するように反転させて前記搬送機構に送り出す反転経路と、を備えている。前記搬送機構、前記記録部、前記経路切換機構及び前記反転経路は、前記筐体内に配置され、前記排出部、前記保持部、前記上面遮蔽部及び前記側方遮蔽部は、前記筐体から外部に突出するように配置され、前記排出部、前記保持部及び前記上面遮蔽部は、鉛直方向に沿って重なるように配置されている。
【００１６】
本発明の画像記録装置によると、保持部に送り出された記録媒体は、上面遮蔽部及び側方遮蔽部によって覆われた状態で一時的に保持される。したがって、ユーザが誤って保持部に搬送された記録媒体を抜き取ることを防止することができる。また、記録媒体を一時的に保持する保持部と、保持部に保持された記録媒体の上面を覆う上面遮蔽部とを、デッドスペースである排出部と鉛直方向に沿って重なる位置に設けているので、筐体内に別個に保持部と上面遮蔽部を設けるスペースを確保する必要がない。したがって、筐体を小型化することができる。
【００１７】
また、前記筐体に対して、前記排出部、前記保持部、前記上面遮蔽部及び前記側方遮蔽部が着脱可能であることが好ましい。これによると、画像記録装置の不使用時や梱包時に、排出部、保持部、上面遮蔽部及び側方遮蔽部を取り外すことで装置をコンパクト化することができる。
【００１８】
また、前記排出部、前記保持部、前記上面遮蔽部及び前記側方遮蔽部が、前記筐体内に収容可能であってもよい。これによると、画像記録装置の不使用時や梱包時に、筐体内に排出部、保持部、上面遮蔽部及び側方遮蔽部を収容することで装置をコンパクト化することができる。
【００１９】
さらに、前記排出部、前記保持部、前記上面遮蔽部及び前記側方遮蔽部が、一体的に形成されていることが好ましい。これによると、排出部、保持部、上面遮蔽部及び側方遮蔽部の着脱または収容作業が容易になる。
【００２０】
加えて、前記排出部の下部が前記上面遮蔽部であることが好ましい。これによると、部品点数を減少させることができる。
【発明を実施するための最良の形態】
【００２１】
以下、本発明の好適な実施形態について、図面を参照しつつ説明する。本実施形態は、記録用紙にインクを吐出して文字や画像などを記録するインクジェットプリンタに本発明を適用した一例である。
【００２２】
図１は、本発明の一実施形態に係るインクジェットプリンタの概略側断面図である。図２は、図１に描かれたインクジェットプリンタを用紙の排出側から見たときの概略平面図である。図１に示すように、インクジェットプリンタ１には、いずれもインク滴を吐出する複数のノズル（図示せず）が形成された吐出面２ａを有しており、４色のインク（マゼンタ、イエロー、シアン、ブラック）にそれぞれ対応する４つのインクジェットヘッド２（記録部）が備えられている。すなわち、インクジェットプリンタ１はカラーインクジェットプリンタである。
【００２３】
インクジェットヘッド２の下方には、用紙７０をインクジェットヘッド２の吐出面２ａと対向させつつ一方向（図１の右方向：以降「搬送方向」と称する）に搬送する搬送機構２１が配置されている。なお、４つのインクジェットヘッド２は、図１に示すように、搬送方向に沿って互いに隣接された状態で、枠状のフレーム３に固定されている。つまり、本実施形態のインクジェットプリンタ１は、ライン式プリンタである。
【００２４】
搬送機構２１は、互いに平行な回転軸を有する２つのベルトローラ６、７と、両ベルトローラ６、７間に架け渡されたエンドレスの搬送ベルト８とを有している。搬送ベルト８は、エチレンプロピレンゴム（ＥＤＰＭ）などのゴム素材でできた基材の表面にシリコン処理を施すことによって形成されており、当該シリコン処理が施され粘着性を有する面が外周面、すなわち搬送面８ａとなっている。
【００２５】
ベルトローラ６、７のうち、搬送方向の上流側、すなわち図１の左側に位置するベルトローラ６の上方には、その回転軸がベルトローラ６の回転軸と平行となっているニップローラ４が、搬送ベルト８を挟んでベルトローラ６と対向するように配置されている。ニップローラ４は、搬送機構２１に送られてきた用紙７０を搬送ベルト８との間で挟持し、粘着性を有する搬送面８ａに対して押さえ付ける。押さえ付けられた用紙７０は、搬送面８ａ上に保持されたまま搬送される。
【００２６】
一方、搬送方向の下流側、すなわち図１の右側に位置するベルトローラ７は、駆動モータ１７により、図１中時計回りに回転駆動される。ベルトローラ７の上方には、その回転軸がベルトローラ７の回転軸と平行となっている拍車ローラ５が、搬送ベルト８を挟んでベルトローラ７と対向するように配置されている。搬送ベルト８の搬送面８ａ上を搬送されてきた用紙７０は、拍車ローラ５と搬送ベルト８との間に挟持されることによって更に搬送力が付与され、搬送機構２１から排出される。
【００２７】
また、搬送ベルト８によって囲まれた領域内には、搬送ベルト８のインクジェットヘッド２と対向する部分を内周面側から支持する略直方体形状のプラテン１９が配置されている。さらに、搬送ベルト８によって囲まれた領域内におけるプラテン１９と対向する位置には、プラテン１９から遠ざかる方向（図１中下方向）に付勢された張力ローラ１０が配置されている。これにより、搬送ベルト８に所定の大きさの張力が発生する。
【００２８】
ここで、図１に示すように、インクジェットヘッド２及び搬送機構２１は、筐体９０内に収容されている。筐体９０には、互いに対向する開口９２、９４が形成されており、搬送機構２１の搬送方向に関する両側（図１の左右両側）の空間が、当該開口９２、９４を介してそれぞれ外部と連通している。
【００２９】
開口９２、９４のうち、搬送方向の上流側に形成されている開口９２には、給紙トレイ２５が差し込まれている。給紙トレイ２５は、内部に収容された複数の用紙７０のうち、最も上方に位置する用紙７０を開口９２を介して筐体９０内に送り出すピックアップローラ２６を有している。また、開口９２の近傍には、ピックアップローラ２６によって送り出された用紙７０を、搬送機構２１に向かって送る給紙ローラ対２２が配置されている。給紙ローラ対２２によって搬送機構２１へ送られてきた用紙７０は、その一方の面がインクジェットヘッド２の吐出面２ａに面するように搬送方向に沿って搬送される。つまり、給紙トレイ２５及びピックアップローラ２６は、用紙７０の一方の面がインクジェットヘッド２の吐出面２ａと対向するように用紙７０を搬送機構２１に送り出す供給部を構成している。
【００３０】
一方、図１及び図２に示すように、搬送方向の下流側に形成されている開口９４には、開口９４を介して筐体９０内から搬送機構２１によって排出された用紙７０を一時的に保持する保持トレイ２８、及び、インクジェットヘッド２によって記録された用紙７０が搬送機構２１から排出される排紙トレイ２４が差し込まれており、これらは筐体９０から外部に突出している。
【００３１】
保持トレイ２８は、鉛直方向（図１の上下方向）に沿って排紙トレイ２４と重なり、用紙７０を載置可能であって、ユーザの指は入り込まないような間隙（例えば、１ｃｍ）をあけて排紙トレイ２４の下側に配置されている。また、保持トレイ２８は、排紙トレイ２４の延在方向に沿って平行に近接して配置されている。これにより、保持トレイ２８に一時的に保持された用紙７０をユーザが抜き取ろうとしても指が入り込まず、用紙７０をつかめないため、ユーザが誤って用紙７０を抜き取ることを防止することができる。つまり、排紙トレイ２４の下面２４ａは、保持トレイ２８に一時的に保持された用紙７０の上面を覆う上面遮蔽部を構成している。
【００３２】
また、用紙７０の搬送面内に関して保持トレイ２８の搬送方向に直交する方向（図１の紙面に垂直な方向）の両側には、排紙トレイ２４の下面まで鉛直方向に沿って突出した側壁（側方遮蔽部）３０が形成されている。側壁３０は、保持トレイ２８に保持された用紙７０の側方を覆う。
【００３３】
ここで、排紙トレイ２４、保持トレイ２８及び側壁３０は、一体的に形成されている。つまり、排紙トレイ２４、保持トレイ２８及び側壁３０で中空の筒を形成している。図２に示すように、側壁３０は、搬送方向に直交する方向（図２の左右方向）に沿った軸５１を介して回転可能に筐体９０に支持されている。排紙トレイ２４、保持トレイ２８及び側壁３０は、軸５１を中心に回転することによって図１の実線で描かれた位置と図１の破線で描かれた位置とに亘って配置可能となっている。つまり、開口９４を覆う扉体９５を開いて、排紙トレイ２４、保持トレイ２８及び側壁３０を図１の破線で描かれた位置に配置して扉体９５を閉じることで、排紙トレイ２４、保持トレイ２８及び側壁３０は筐体９０内に収容可能となっている。これにより、インクジェットプリンタ１の不使用時や梱包時に、筐体９０内に排紙トレイ２４、保持トレイ２８及び側壁３０を収容することでインクジェットプリンタ１をコンパクト化することができる。
【００３４】
また、側壁３０に固定された軸５１は、筐体９０から取り外し可能となっている。つまり、排紙トレイ２４、保持トレイ２８及び側壁３０は、筐体９０に対して着脱可能となっている。これにより、インクジェットプリンタ１の不使用時や梱包時に、排紙トレイ２４、保持トレイ２８及び側壁３０を取り外すことでインクジェットプリンタ１をコンパクト化することができる。
【００３５】
図１に戻って、筐体９０内における搬送機構２１の下流側であって、搬送機構２１と開口９４との間には、搬送機構２１によって搬送方向に搬送された用紙７０を排紙トレイ２４または保持トレイ２８に選択的に送り出す経路切換ガイド３３が配置されている。経路切換ガイド３３は、その途中部から折り曲げ可能となっている。経路切換ガイド３３が折り曲げられず、搬送方向（水平方向）に沿って延在している場合（図１の実線で示す位置）には、搬送機構２１によって搬送された用紙７０は、排紙トレイ２４に排出される。また、経路切換ガイド３３が折り曲げられた場合（図１の破線で示す位置）には、搬送機構２１によって搬送された用紙７０は、保持トレイ２８に排出される。
【００３６】
また、筐体９０内における搬送機構２１の下流側であって、搬送機構２１と開口９４との間の経路切換ガイド３３の下方には、保持トレイ２８に一時的に保持された用紙７０の向きを下方に切り換える案内ガイド５２が配置されている。案内ガイド５２は、搬送方向に沿って延在したスライド軸５３に沿って搬送方向にスライド可能となっている。案内ガイド５２は、保持トレイ２８に用紙７０が保持された場合、スライド軸５３に沿って搬送方向（図１の右方向）に移動し、図１の実線で示す位置で降下ガイド３４とともに連続した経路を形成する。また、案内ガイド５２は、保持トレイ２８に用紙７０が保持されていない場合や、経路切換ガイド３３が折り曲げられている場合、スライド軸５３に沿って搬送方向の逆方向に移動し、図１の破線で示す位置で停止する。
【００３７】
筐体９０内における案内ガイド５２と保持トレイ２８との間には、経路切換ガイド３３が折り曲げられることで、搬送機構２１によって搬送されてきた用紙７０を挟持し、用紙７０を保持トレイ２８へ送り出す方向（図１の右方向）、及び、その反対の保持トレイ２８に保持された用紙７０を送り出す方向（図１の左方向）の２つの方向に送ることができるスイッチバックローラ対２３が配置されている。
【００３８】
スイッチバックローラ対２３は、互いに回転軸が平行となるように対向して配置された駆動ローラ２３ａ及び従動ローラ２３ｂからなる。駆動ローラ２３ａは、正逆回転可能な駆動モータ２９により、図１中時計回り及び反時計回りの２つの方向に回転駆動可能となっている。従動ローラ２３ｂは、駆動ローラ２３ａに下方から圧接しており、駆動ローラ２３ａの回転駆動に伴って従動回転するようになっている。
【００３９】
さらに、インクジェットプリンタ１には、案内ガイド５２によって搬送方向が下方に切り換えられた用紙７０を下方に案内する降下ガイド３４と、降下ガイド３４によって案内されてきた用紙７０を搬送方向とは逆方向に搬送する再搬送機構３５と、再搬送機構３５によって搬送されてきた用紙７０を挟持しつつ上方に搬送し、搬送機構２１と給紙ローラ対２２との間に送る複数の再給紙ローラ対３６と、再給紙ローラ対３６によって搬送される用紙７０を案内する上昇ガイド３７とを備えている。なお、再搬送機構３５は、用紙７０の幅方向の一方側が逆搬送方向に沿って延びる基準面（図示せず）と当接するように、用紙７０をその幅方向一方側に寄せる斜行ローラ（図示せず）を備えており、いわゆるサイドレジ送りによって用紙７０を搬送する。
【００４０】
つまり、インクジェットプリンタ１には、搬送機構２１の下方において、搬送機構２１とスイッチバックローラ対２３との間から、搬送機構２１と給紙ローラ対２２との間まで延びる反転経路３２が形成される。かかる反転経路３２により、スイッチバックローラ対２３によって搬送方向の逆方向に送られてきた用紙７０は、表裏が反転された状態、すなわち給紙ローラ対２２によって送り出された際に上方を向いていた一方の面とは反対の他方の面が上方を向いた状態で、搬送機構２１へと送り出される。
【００４１】
上述のような構成において、給紙トレイ２５から給紙ローラ対２２によって搬送機構２１へ送られてきた用紙７０は、その一方の面がインクジェットヘッド２の吐出面２ａに面するように搬送方向に沿って搬送される。すると、用紙７０の一方の面に画像の記録が行われる。用紙７０の片面のみに画像の記録を行う場合には、経路切換ガイド３３を折り曲げず、搬送方向（水平方向）に沿って延在させて（図１の実線で示す位置）、搬送機構２１によって搬送された用紙７０を排紙トレイ２４に排出する。
【００４２】
また、両面に画像の記録を行う場合には、経路切換ガイド３３を折り曲げて（図１の破線で示す位置）、搬送機構２１によって搬送された用紙７０を、スイッチバックローラ対２３を正回転させて保持トレイ２８に一時的に保持する。このとき、用紙７０の後端は、スイッチバックローラ対２３に挟まれた状態にしておく。そして、案内ガイド５２を図１の実線で示す位置に移動した後、スイッチバックローラ対２３を逆回転させることで、用紙７０を反転経路３２に搬送する。反転経路３２により搬送方向の逆方向に送られてきた用紙７０は、表裏が反転された状態、すなわち給紙ローラ対２２によって送り出された際に上方を向いていた一方の面とは反対の他方の面が上方を向いた状態で、搬送機構２１へと送り出される。搬送機構２１へ送られてきた用紙７０は、その他方の面がインクジェットヘッド２の吐出面２ａに面するように搬送方向に沿って搬送され、用紙７０の他方の面に画像の記録が行われる。このようにして、用紙７０の両面に画像の記録が行われる。
【００４３】
以上のように、本実施形態のインクジェットプリンタ１では、保持トレイ２８をデッドスペースである排紙トレイ２４と鉛直方向に沿って重なる位置に設けているので、筐体９０内に別個に保持トレイ２８を設けるスペースを確保する必要がない。したがって、筐体９０を小型化することができる。このとき、排紙トレイ２４の下面２４ａを保持トレイ２８に保持された用紙７０の上面を覆う上壁として兼用していることで、別個に上壁が必要なく、部品点数を減少させることができる。また、用紙７０は、排紙トレイ２４及び側壁３０によって覆われた状態で一時的に保持トレイ２８に保持される。したがって、ユーザが誤って保持トレイ２８に搬送された用紙７０を抜き取ることを防止することができる。
【００４４】
また、保持トレイ２８が、排紙トレイ２４と平行に配置されていることで、保持トレイ２８に一時的に保持された用紙７０と排紙トレイ２４との間隔が狭く一定であるため、ユーザが誤って保持トレイ２８に搬送された用紙７０を抜き取ることをさらに防止することができる。
【００４５】
さらに、側壁３０が、保持トレイ２８と排紙トレイ２４との間に亘って形成されていることで、ユーザが誤って保持トレイ２８に搬送された用紙７０を抜き取ることをより一層防止することができる。
【００４６】
このとき、排紙トレイ２４、保持トレイ２８及び側壁３０が、一体的に形成されていることで、排紙トレイ２４及び保持トレイ２８の着脱または収容作業が容易になる。
【００４７】
次に、上述した本実施形態に種々の変更を加えた変形例について説明する。但し、上述した本実施形態と同様の構成を有するものについては、同じ符号を付して適宜その説明を省略する。
【００４８】
上述した実施形態においては、排紙トレイ２４の下面２４ａを保持トレイ２８に保持された用紙７０の上面を覆う上壁として兼用していたが、図３に示すように、保持トレイ１２８に保持された用紙７０の上面を覆う上壁１２４を、鉛直方向（図３の上下方向）に沿って保持トレイ１２８と重なり、保持トレイ１２８の上側に、ユーザの指が入り込まないような間隙をあけて、保持トレイ１２８の延在方向に沿って平行に近接して配置してもよい。このように、排紙トレイ２４と別個に上壁１２４を設けることで、保持トレイ１２８が排紙トレイ２４の下側に限らず、排紙トレイ２４の上方など任意のデッドスペースに配置可能となる。また、このように、上壁１２４を鉛直方向（図３の上下方向）に沿って保持トレイ１２８と重なり、保持トレイ１２８の上側にユーザの指が入り込まないような間隙をあけて、保持トレイ１２８の延在方向に沿って近接して配置していれば、側壁を設けなくてもよい。
【００４９】
また、上述した実施形態においては、保持トレイ２８と保持トレイ２８に保持された用紙７０の上面を覆う上壁を構成する下面２４ａを有する排紙トレイ２４とを近接して配置していたが、図４に示すように、保持トレイ２８に保持された用紙７０の側方を覆う側壁１２９が形成されていれば、保持トレイ２８と排紙トレイ２４とを近接して配置しなくてもよい。
【００５０】
さらに、上述した実施形態においては、側壁３０は、保持トレイ２８から排紙トレイ２４に亘って形成されていたが、保持トレイ２８もしくは排紙トレイ２４から突出して設けられているだけでもよい。
【００５１】
さらに、保持トレイ２８は、壁に限らず、用紙７０を載置可能な面を形成できればワイヤなどにより形成されていてもよい。また、側壁３０は、壁に限らず、ユーザの指が入り込まないような網目状であってもよい。
【００５２】
また、上述した実施形態においては、反転経路３２を筐体９０内における搬送機構２１の下方に配置していたが、反転経路は筐体９０内におけるいかなる位置に配置されてもよい。例えば、反転経路は、インクジェットヘッド２よりも搬送方向上流側のベルトローラ６の上方のデッドスペースに設けられてもよい。このとき、保持トレイ２８に一時的に保持された用紙７０は、ベルトローラ７を逆方向に回転させて搬送ベルト８を搬送方向とは逆方向に走行させることで、搬送方向とは逆方向に走行して反転経路に送り出されて、反転して再度搬送機構２１に送り出される。
【００５３】
さらに、給紙トレイ２５は、筐体９０内の搬送機構２１の下方など、筐体９０内外に限らず、いかなる位置に配置されてもよい。
【００５４】
加えて、上述した実施形態においては、ピックアップローラ２６から送り出された用紙７０に１枚ずつ両面記録を行っていたが、スイッチバックローラ対２３ではなく、正逆回転可能なピックアップローラを用いて、複数の用紙７０の一方の面に連続して記録を行い、保持トレイに積層しておいて、まとめて他方の面に記録を行ってもよい。
【００５５】
また、上述の実施形態のようなインクジェットプリンタに限定されず、レーザなどによって用紙７０に画像を記録する記録ヘッドを有した画像記録装置など、様々な画像記録装置に適用可能である。
【図面の簡単な説明】
【００５６】
【図１】本発明の一実施形態に係るインクジェットプリンタの概略側断面図である。
【図２】図１に描かれたインクジェットプリンタを用紙の排出側から見たときの概略平面図である。
【図３】保持トレイが排紙トレイの上方に位置するときの変形例を示す図である。
【図４】保持トレイが排紙トレイから離れているときの変形例を示す図である。
【符号の説明】
【００５７】
１  インクジェットプリンタ
２  インクジェットヘッド
２１  搬送機構
２４  排紙トレイ
２５  給紙トレイ
２８  保持トレイ
３０  側壁
３２  反転経路
３３  経路切換ガイド
９０  筐体
【図１】
2009154369.tif 000003
【図２】
2009154369.tif 000004
【図３】
2009154369.tif 000005
【図４】
2009154369.tif 000006